【事件の表示】
　特願２０１２−２３１５７２「電力変換装置」拒絶査定不服審判事件〔平成２５年　１月１７日出願公開、特開２０１３−　１３３２５〕について、次のとおり審決する。
【結　論】
　本件審判の請求は、成り立たない。
【理　由】
１．手続の経緯  
　本願は、平成２０年３月１１日に出願した特願２００８−６１１６５号の一部を平成２４年１０月１９日に新たな出願としたものであって、平成２５年８月２８日付で拒絶の理由が通知され（発送日：平成２５年９月３日）、これに対し、平成２５年１１月５日付で意見書及び手続補正書が提出されたが、平成２６年３月１７日付で拒絶査定がなされ（発送日：平成２６年３月２５日）、これに対し、平成２６年６月２４日に拒絶査定不服審判の請求がなされたものである。
　
２．本願発明 
　本願の請求項１に係る発明（以下、請求項１記載の発明を「本願発明」という。）は、平成２５年１１月５日付手続補正書の特許請求の範囲の請求項１に記載された事項により特定される以下のとおりのものである。
「【請求項１】
　スイッチング素子（140）と、前記スイッチング素子（140）を駆動する駆動回路（160）と、前記駆動回路（160）に電力を供給するコンデンサ（170）を備えて、交流電源から供給された交流電力または直流電源から供給された直流電力を所定の電圧及び周波数の交流電力または直流電力に電力変換を行う電力変換装置であって、
　電源（110）をさらに備え、
　前記スイッチング素子（140）は、２つが直列に接続されて直列回路（150）を構成し、
　前記直列回路（150）内の一方のスイッチング素子（140）を駆動する駆動回路（160）である上アーム側駆動回路（161）は、前記コンデンサ（170）から電力を供給され、もう一方のスイッチング素子（140）を駆動する駆動回路（160）である下アーム側駆動回路（162）は、前記電源（110）に接続され、
　前記電源（110）と前記コンデンサ（170）との間には、ダイオード（180）が接続され、
　前記下アーム側駆動回路（162）は、前記ダイオード（180）と同等の電圧降下を生じさせる電圧降下素子（220）を介して前記電源（110）と接続され、前記上アーム側駆動回路に電力を供給するコンデンサと、前記下アーム側駆動回路に電力を供給するコンデンサとの電圧のバランスを保つように構成されていることを特徴とする電力変換装置。」
　
　
３．引用例
　原査定の拒絶の理由に引用された特開２００５−１１０３９７号公報（以下、「引用例１」という。）には、図面と共に、以下の事項が記載されている。
　
１−ａ「ＤＣ−ＤＣコンバータ５の詳細を、図２を参照して説明する。図２に示すように、ＤＣ−ＤＣコンバータ５は、インバータ回路１０と、変圧器２０と、整流回路３０と、平滑回路４０と、コントローラ５０と、変圧器６０と、異常検出回路８０とからなる。
　インバータ回路１０は、ＤＣ−ＤＣコンバータ５に入力される直流電力を交流に変換して出力するものであり、高圧バッテリ２の高電位側に接続される高電位入力端子Ｔ１と、基準電位Ｇに接続される低電位端子Ｔ２との間に接続される。高電位入力端子Ｔ１と低電位端子Ｔ２との間に、アームＡ１とアームＡ２とがそれぞれ接続されている。そして、アームＡ１には、対をなす２つのＭＯＳ−ＦＥＴ Ｑ１１，Ｑ１２が直列に接続されている。アームＡ２にも、対をなす２つのＭＯＳ−ＦＥＴ Ｑ２１，Ｑ２２が直列に接続されている。
　アームＡ１に対してスイッチドライバ７０が設けられ、スイッチドライバ７０は、ゲートパルスを出力してＭＯＳ−ＦＥＴ Ｑ１１，Ｑ１２のオン・オフを行う。」（【0032】−【0034】）
　
１−ｂ「スイッチドライバ７０は、ハイサイドドライバＤＨと、ローサイドドライバＤＬと、放電回路７２とを有し、補助電源９０から給電されるとともに、コントローラ５０からの制御パルスに応じてＭＯＳ−ＦＥＴ Ｑ１１，Ｑ１２のオン・オフを行う。ハイサイドドライバＤＨは、アームＡ１の高電位側に位置するＭＯＳ−ＦＥＴ Ｑ１１のゲート端子とソース端子との間に接続されている。ハイサイドドライバＤＨは、ダイオードｄ３及び入力端子Ｔ３を介して補助電源９０と接続されている。ダイオードｄ３は、アノードが入力端子Ｔ３に接続され、カソードがハイサイドドライバＤＨに接続されている。また、ハイサイドドライバＤＨには、コンデンサＣＨが並列に接続されている。すなわち、コンデンサＣＨは、ハイサイドドライバＤＨの入力ラインＬＨとＭＯＳ−ＦＥＴ Ｑ１１のソース端子との間に接続されている。
　一方、ローサイドドライバＤＬは、低電位側に位置するＭＯＳ−ＦＥＴ Ｑ１２のゲート端子とソース端子との間に接続されている。また、ローサイドドライバＤＬは、入力端子Ｔ３を介して補助電源９０と直接接続されている。また、ローサイドドライバＤＨには、コンデンサＣＬが並列に接続されている。すなわち、コンデンサＣＬは、ローサイドドライバＤＬの入力ラインＬＬとＭＯＳ−ＦＥＴ Ｑ１２のソース端子との間に接続されている。アームＡ２のＭＯＳ−ＦＥＴ Ｑ２１，Ｑ２２にも、スイッチドライバ７０と同一のスイッチドライバ７０’が接続されている。」（【0035】−【0036】）
　
１−ｃ「補助電源９０は、出力電圧レベルがＶsubの直流電源であり、スイッチング素子Ｑ０を介してスイッチドライバ７０に給電する。」（【0038】）
　
１−ｄ「図４（審決注：「３」は誤記）のＤＣ−ＤＣコンバータ５Ａにおいて、スイッチドライバ７０Ａは、図２に示すスイッチドライバ７０とほぼ同一の構成を取っている。従って、以下に異なる構成について説明し、同一の構成要素には同一の参照符号を付して詳細な説明を省略する。
　第１の実施の形態では、放電回路７２は１つであったが、本実施の形態においては、ドライバＤＨ、ＤＬ毎に放電回路７２Ａ，７２Ｂを有する。放電回路７２Ａは、異常検出回路８０からの入力に応答して、ダイオードｄ３とハイサイドドライバＤＨとの間のラインＬＨ上のノードＵと、ノードＭとを接続する放電路ＬＤＨを形成する。さらに、放電回路７２Ａと、並列に放電検出回路７４が接続されている。放電検出回路７４は、コンデンサＣＨの電圧をモニタし、コンデンサＣＨの電圧が所定値以下になった時、信号を放電回路７２Ｂに向けて出力する。
　本実施の形態では、ローサイドドライバＤＬは、ダイオードｄ４及び端子Ｔ３を介して補助電源９０に接続されている。ダイオードｄ４は、アノードが補助電源９０に接続され、カソードがローサイドドライバＤＬに接続されている。放電回路７２Ｂは、放電検出回路７４の信号出力に反応して、ダイオードｄ４とローサイドドライバＤＬとを接続するラインＬＣ上のノードＷと、基準電位Ｇとを直接接続する放電路ＬＤＬを形成する。」（【0062】−【0064】）
　
　上記記載及び図面を参照すると、アームの内の高電位側に位置するＭＯＳ−ＦＥＴのハイサイドドライバは、コンデンサから電力を供給され、低電位側に位置するＭＯＳ−ＦＥＴのローサイドドライバは、補助電源に接続されている。
　上記記載及び図面を参照すると、補助電源とコンデンサとの間には、ダイオードｄ３が接続されている。
　
　上記記載事項からみて、引用例１には、
「ＭＯＳ−ＦＥＴと、前記ＭＯＳ−ＦＥＴのオン・オフを行うハイサイドドライバ及びローサイドドライバと、前記ハイサイドドライバに並列接続されるコンデンサと、前記ローサイドドライバに並列接続されるコンデンサを備えたＤＣ−ＤＣコンバータであって、
　補助電源をさらに備え、
　前記ＭＯＳ−ＦＥＴは、対をなす２つのＭＯＳ−ＦＥＴが直列に接続されてアームを構成し、
　前記アームの内の高電位側に位置するＭＯＳ−ＦＥＴのハイサイドドライバは、前記コンデンサから電力を供給され、低電位側に位置するＭＯＳ−ＦＥＴのローサイドドライバは、前記補助電源に接続され、
　前記補助電源と前記コンデンサとの間には、ダイオードｄ３が接続され、
　前記ローサイドドライバは、ダイオードｄ４を介して前記補助電源に接続されているＤＣ−ＤＣコンバータ。」
との発明（以下、「引用発明」という。）が記載されている。
　
　
４．対比
　そこで、本願発明と引用発明とを対比すると、引用発明の「ＭＯＳ−ＦＥＴ」、「前記ＭＯＳ−ＦＥＴのオン・オフを行う」、「ハイサイドドライバ」又は「ローサイドドライバ」、「並列接続されるコンデンサ」、「補助電源」、「対をなす２つのＭＯＳ−ＦＥＴが直列に接続」、「アーム」、「高電位側に位置するＭＯＳ−ＦＥＴのハイサイドドライバ」、「低電位側に位置するＭＯＳ−ＦＥＴのローサイドドライバ」、「ダイオードｄ３」、は、それぞれ本願発明の「スイッチング素子（140）」、「前記スイッチング素子（140）を駆動する」、「駆動回路（160）」、「電力を供給するコンデンサ（170）」、「電源（110）」、「２つが直列に接続」、「直列回路（150）」、「一方のスイッチング素子（140）を駆動する駆動回路（160）である上アーム側駆動回路（161）」、「もう一方のスイッチング素子（140）を駆動する駆動回路（160）である下アーム側駆動回路（162）」、「ダイオード（180）」に相当する。
　
　ＤＣ−ＤＣコンバータは、直流電力を異なった直流電力に変換するものであるから、引用発明の「ＤＣ−ＤＣコンバータ」は、本願発明の「交流電源から供給された交流電力または直流電源から供給された直流電力を所定の電圧及び周波数の交流電力または直流電力に電力変換を行う電力変換装置」又は「電力変換装置」に相当する。
　
　ダイオードは、電圧降下を生じさせる電圧降下素子であるから、引用発明の「前記ローサイドドライバは、ダイオードｄ４を介して前記補助電源に接続」と、本願発明の「前記下アーム側駆動回路（162）は、前記ダイオード（180）と同等の電圧降下を生じさせる電圧降下素子（220）を介して前記電源（110）と接続」は、「前記下アーム側駆動回路は、電圧降下を生じさせる電圧降下素子を介して前記電源と接続」との概念で一致する。
　
　したがって、両者は、
「スイッチング素子と、前記スイッチング素子を駆動する駆動回路と、前記駆動回路に電力を供給するコンデンサを備えて、交流電源から供給された交流電力または直流電源から供給された直流電力を所定の電圧及び周波数の交流電力または直流電力に電力変換を行う電力変換装置であって、
　電源をさらに備え、
　前記スイッチング素子は、２つが直列に接続されて直列回路を構成し、
　前記直列回路内の一方のスイッチング素子を駆動する駆動回路である上アーム側駆動回路は、前記コンデンサから電力を供給され、もう一方のスイッチング素子を駆動する駆動回路である下アーム側駆動回路は、前記電源に接続され、
　前記電源と前記コンデンサとの間には、ダイオードが接続され、
　前記下アーム側駆動回路は、電圧降下を生じさせる電圧降下素子を介して前記電源と接続されている電力変換装置。」
の点で一致し、以下の点で相違している。
　
〔相違点〕
　電圧降下を生じさせる電圧降下素子を介して電源と接続されている下アーム側駆動回路に関し、本願発明は、下アーム側駆動回路は、ダイオード（180）と同等の電圧降下を生じさせる電圧降下素子を介して電源と接続され、上アーム側駆動回路に電力を供給するコンデンサと、下アーム側駆動回路に電力を供給するコンデンサとの電圧のバランスを保つように構成されているのに対し、引用発明は、ローサイドドライバは、ダイオードｄ４を介して前記補助電源に接続されている点。
　
　
５．判断
　引用発明は、補助電源の電圧を、電圧降下を生じさせるダイオードｄ４を介してローサイドドライバに並列接続されるコンデンサに印加することによって、電源を直接印加する場合に比べて、ローサイドドライバに並列接続されるコンデンサの電圧値を下げることができる。そうすると、引用例１のダイオードｄ４を有しない図２記載の回路（１−ａ、１−ｂ、１−ｃ参照。）に比べて、引用発明は、ハイサイドドライバに並列接続されるコンデンサの電圧と、ローサイドドライバに並列接続されるコンデンサの電圧が、よりバランスしていることとなる。
　引用発明において、アームを構成するＭＯＳ−ＦＥＴはブリッジ回路を構成するので、対をなす２つのＭＯＳ−ＦＥＴには、オンオフのタイミングは異なっても、基本的に同じ大きさの電流が流れるものであり、素子に同じ大きさの電流が流れるならば、部品管理の手間等も考慮すれば、一般的には同等の定格の素子を用いるものと認められる。アームを構成するＭＯＳ−ＦＥＴの駆動回路であるハイサイドドライバ、ローサイドドライバも、素子と同様に同等の定格のものを用いるものと認められる。また、ダイオードｄ３と同様に、ダイオードｄ４は、アノードに補助電源が接続されるとともに、カソードはローサイドドライバ及び並列接続されるコンデンサに接続されるものである。
　そうすると、ＭＯＳ−ＦＥＴ、ハイサイドドライバ、ローサイドドライバを、同等の定格のものを用いるのであれば、ハイサイドドライバ、ローサイドドライバに接続されるダイオードｄ３を、ダイオードｄ４と同等の定格のものとして同等の電圧降下を生じさせることは、当業者であれば容易に考えられるものと認められる。その際、当該構成を採用する結果として、ハイサイドドライバに電力を供給するコンデンサと、ローサイドドライバに電力を供給するコンデンサとの電圧のバランスを保つ作用効果は当然に奏するものと認められる。
　
　そして、本願発明の作用効果も、引用発明から当業者が予測できる範囲のものである。
　したがって、本願発明は、引用発明に基づいて、当業者が容易に発明をすることができたものである。
　
　
６．むすび
　以上のとおり、本願発明は、引用発明に基いて当業者が容易に発明をすることができたものであるから、他の請求項について検討するまでもなく特許法第２９条第２項の規定により特許を受けることができない。
　よって、結論のとおり審決する。